(57)【要約】【課題】ＡＦＣ１パルス信号に対してＡＦＣ２パルス信号の位相を早めてもＡＦＣ２パルス信号が確実に出力されるパルス発生回路を得る。【解決手段】位相差の設定変更を検出する不一致検出回路３と、ＡＦＣ１パルス信号の発生に用いる計数値を出力するＡＦＣ１パルスカウンタ４とを備え、ＡＦＣ２パルス発生回路５が不一致検出回路３の検出結果及びＡＦＣ１パルスカウンタ４の計数値に基づいて、ＡＦＣ１パルス信号に対して所望の位相差を有するＡＦＣ２パルス信号を発生させる。【選択図】        図１
2004282128.tif 000002
【特許請求の範囲】
【請求項１】
画像表示装置に備えられ、第一パルス信号を発生させる第一パルス発生手段と外部信号による設定に基づく位相を有する第二パルス信号を発生させる第二パルス発生手段とからなるパルス発生回路において、
前記外部信号による位相差の設定変更を検出する設定変更検出手段と、
前記第一パルス信号の発生に用いる計数値を出力するカウンタとを備え、
前記第二パルス発生手段は、前記設定変更検出手段が検出した前記位相差の設定変更の内容及び前記カウンタの計数値に基づいて、前記第一パルス信号に対して所望の位相差を有する第二パルス信号を発生させることを特徴とするパルス発生回路。
【請求項２】
第二パルス発生手段は、設定変更検出手段が設定変更を検出すると当該設定内容に基づいて強制的に第二パルス信号を変化させることを特徴とする請求項１記載のパルス発生回路。
【請求項３】
画像表示装置に備えられ、第一パルス信号を発生させる第一パルス発生手段と外部信号による設定に基づく位相を有する第二パルス信号を発生させる第二パルス発生手段とからなるパルス発生回路において、
前記第一パルス信号の発生に用いる計数値を出力するカウンタと、
前記カウンタの計数値が予め設定された前記第二パルス信号の調整範囲の最大値となったことを検出する最大値検出手段とを備え、
前記第二パルス発生手段は、前記カウンタから出力される計数値に基づいて第二パルス信号を発生させると共に前記最大値検出手段の検出結果に基づいて強制的に前記第二パルス信号を変化させることを特徴とするパルス発生回路。
【請求項４】
第一パルス信号は画像表示に用いられるＡＦＣ１パルス信号で、第二パルス信号は画像表示に用いられるＡＦＣ２パルス信号であることを特徴とする請求項１から請求項３のうちのいずれか１項記載のパルス発生回路。
【発明の詳細な説明】
【０００１】
【発明の属する技術分野】
この発明は、テレビ受像機やＣＲＴディスプレイ装置などの画像表示装置に備えられるパルス発生回路に関するものである。
【０００２】
【従来の技術】
例えば、テレビ受像機やＣＲＴディスプレイ装置などの画像表示装置は水平偏向回路を備え、この水平偏向回路を構成するパルス発生回路は水平同期信号に応じた水平出力パルスを生成する。このパルス発生回路は、同期分離回路から出力される水平同期信号の周波数及び位相を制御するＡＦＣ１と、移相回路から出力される水平出力パルスの位相を水平ＦＢＰの位相に一致させるＡＦＣ２とを備え、ＡＦＣ２から出力させる水平出力パルスの発生位置を、ＡＦＣ１から出力されるパルス信号が変化した後、即ちＡＦＣ１の出力パルス信号の位相のプラス側のみの範囲にて調整していた。
【０００３】
このように従来のパルス発生回路はＡＦＣ１から出力されるパルス信号の変化点より前で、即ち位相のマイナス側でＡＦＣ２の出力パルス信号を変化させて、ＡＦＣ１から出力されるパルス信号が変化してＡＦＣ２からパルス信号が出力される迄の間にＡＦＣ２から出力されるパルスの変化位置の設定が変更されたときＡＦＣ１のパルス変化に対応できずにＡＦＣ１のパルス信号に対してＡＦＣ２のパルス信号の変化がパルス信号一回分だけ遅れることを防いでいる（例えば、特許文献１参照）。
【０００４】
【特許文献１】
特開平８−２０４９８８号公報（第３頁〜第４頁、図１，図２参照）
【０００５】
【発明が解決しようとする課題】
従来のパルス発生回路は、以上のように構成されているので、ＡＦＣ２に補正回路を追加してＡＦＣ１から出力されるパルス信号の位相のマイナス側でＡＦＣ２から出力されるパルス信号を変化させると、ＡＦＣ１から出力されるパルス信号が変化してＡＦＣ２からパルス信号が出力される迄の間にＡＦＣ２から出力させるパルス信号の変化位置、即ち位相差の設定が変更されたとき、ＡＦＣ１から出力されるパルス信号の一回目の変化についてＡＦＣ２のパルス信号を変化させることができず、ＡＦＣ２のパルス信号の周期が長くなることから場合によっては画像表示装置の水平同期回路を構成するトランジスタ等を破壊してしまうおそれがあり、前述のようなＡＦＣ１のパルス信号のマイナス側の位相でＡＦＣ２のパルス信号を変化させることができないという課題があった。
【０００６】
この発明は、上記のような課題を解決するためになされたもので、ＡＦＣ１のパルス信号が変化した後ＡＦＣ２のパルス信号を出力させる迄の間にパルス変化位置をマイナス側に変更してもＡＦＣ２のパルス信号の抜けが生じないパルス発生回路を得ることを目的とする。
【０００７】
【課題を解決するための手段】
この発明に係るパルス発生回路は、外部信号による位相差の設定変更を検出する設定変更検出手段と、第一パルス信号の発生に用いる計数値を出力するカウンタとを備え、第二パルス発生手段が設定変更検出手段が検出した位相差の設定変更の内容及びカウンタの計数値に基づいて、第一パルス信号に対して所望の位相差を有する第二パルス信号を発生させるものである。
【０００８】
この発明に係るパルス発生回路は、第一パルス信号の発生に用いる計数値を出力するカウンタと、カウンタの計数値が予め設定された第二パルス信号の調整範囲の最大値となったことを検出する最大値検出手段とを備え、第二パルス発生手段がカウンタから出力される計数値に基づいて第二パルス信号を発生させると共に最大値検出手段の検出結果に基づいて強制的に第二パルス信号を変化させるものである。
【０００９】
【発明の実施の形態】
以下、この発明の実施の一形態を説明する。
実施の形態１．
図１は、この発明の実施の形態１によるパルス発生回路の構成を示すブロック図である。パルス発生位置設定回路１は、外部からの指示に基づいてＡＦＣ２パルス信号の発生位置を示すＨ＿ＰＨＡＳＥ信号を生成し、フリップフロップ回路２及び不一致検出回路３へ出力する。フリップフロップ回路（設定変更検出手段）２は、外部から入力される図示を省略した動作クロックに基づいてＨ＿ＰＨＡＳＥ信号を１クロック遅延させて不一致検出信号３へ出力する。不一致検出信号（設定変更検出手段）３は、Ｈ＿ＰＨＡＳＥ信号とフリップフロップ回路２から入力した遅延信号とを比較してＨ＿ＰＨＡＳＥ信号の変化の有無を検出する。この不一致検出回路３は、例えばＥＸ−ＯＲ論理ゲート等によって構成される。ＡＦＣ１パルスカウンタ（カウンタ）４は、ＡＦＣ１パルス信号の周期，パルス幅等の時間を計数して、図示を省略したＡＦＣ１パルス発生回路（第一パルス発生手段）に所定の周期，パルス幅を有するＡＦＣ１パルス信号（第一パルス信号）を生成させると共に、計数した値をＡＦＣ２パルス発生回路（第二パルス発生手段）５へ出力する。ＡＦＣ２パルス発生回路５は、ＡＦＣ１パルスカウンタ４の出力及び不一致検出回路３の出力に基づいてＡＦＣ２パルス信号（第二パルス信号）を生成する。
【００１０】
次に、動作について説明する。
パルス発生位置設定回路１は、例えば水平同期信号等を外部から入力して、ＡＦＣ２パルス信号を変化させる位置を示すＨ＿ＰＨＡＳＥ信号を生成する。フリップフロップ回路２は、図示を省略した動作クロックを外部から入力し、この動作クロックに同期させてＨ＿ＰＨＡＳＥ信号を１クロック遅延させた信号を出力する。不一致検出回路３は、フリップフロップ回路２によって１クロック遅延された、即ち以前のＨ＿ＰＨＡＳＥ信号と、パルス発生位置設定回路１から入力した現在のＨ＿ＰＨＡＳＥ信号とを比較して、これらの信号の一致あるいは不一致を判定し、不一致の場合はＨ＿ＰＨＡＳＥ信号が変化したことを示す信号をＡＦＣ２パルス発生回路５へ出力する。
【００１１】
図２は、実施の形態１によるパルス発生回路の出力を示す説明図である。図２（ａ）は、ＡＦＣ１パルス信号とＡＦＣ２パルス信号が同期している、即ち基準となる位相差が無い出力波形で、図２（ｂ）は、ＡＦＣ１パルス信号に対してＡＦＣ２パルス信号の変化位置、即ち位相を調整することができる範囲を示したものである。
【００１２】
不一致検出回路３によってＨ＿ＰＨＡＳＥ信号の変化が検出されると、ＡＦＣ２パルス発生回路５は、ＡＦＣ１パルスカウンタ４の計数値に基づいて生成していたＡＦＣ２パルス信号のレベルを強制的に変化させ、例えば論理値“Ｌ”レベルを出力しているときには強制的に“Ｈ”レベルに変化させる。このＡＦＣ２パルス信号を強制的に変化させるタイミングはＡＦＣ１パルスカウンタ４の計数値が所定の値をとるとき行われる。このようにＡＦＣ１パルスカウンタ４の計数値が所定の値になるとＡＦＣ２パルス信号を変化させることにより、ＡＦＣ１パルス信号が実際に変化する前でも、Ｈ＿ＰＨＡＳＥ信号の変化に応じて所望のタイミングでＡＦＣ２パルス信号を変化させることができる。
【００１３】
以上のように、実施の形態１によれば、Ｈ＿ＰＨＡＳＥ信号を生成するパルス発生位置設定回路１と、Ｈ＿ＰＨＡＳＥ信号の変化を検出する不一致検出回路３と、ＡＦＣ１パルス信号の生成に用いる計数値をカウントするＡＦＣ１パルスカウンタ４と、不一致検出回路３の出力とＡＦＣ１パルスカウンタ４の計数値に基づいてＡＦＣ２パルス信号を発生するＡＦＣ２パルス発生回路５とを備えたので、ＡＦＣ２パルス信号をＡＦＣ１パルスカウンタ４の計数値に基づいて変化させることができ、ＡＦＣ１パルス信号に対して当該ＡＦＣ１パルス信号が変化する前後においてＡＦＣ２パルス信号を変化させることができ、どのようなタイミングで、即ちプラス側あるいはマイナス側の位相差を有するときでも、ＡＦＣ１パルス信号が初めて変化したときに対応させてＡＦＣ２パルス信号を変化させることができるという効果がある。
【００１４】
実施の形態２．
図３は、この発明の実施の形態２によるパルス発生回路の構成を示すブロック図である。ＡＦＣ１パルスカウンタ（カウンタ）１１は、ＡＦＣ１パルス信号の周期，パルス幅等の時間を計数して、図示を省略したＡＦＣ１パルス発生回路に所定の周期，パルス幅を有するＡＦＣ１パルス信号を生成させると共に、計数した値をＡＦＣ２パルス調整最大値検出回路（最大値検出手段）１２及びＡＦＣ２パルス発生回路（第二パルス発生手段）１３へ出力する。ＡＦＣ２パルス調整最大値検出回路１２は、ＡＦＣ１パルスカウンタ１１の計数値が予め設定された最大値となったことを検出する。ＡＦＣパルス２発生回路（第二パルス発生手段）１３は、ＡＦＣ１パルスカウンタ１１から出力された計数値及びＡＦＣ２パルス調整最大値検出回路１２の出力に基づいてＡＦＣ２パルス信号を生成する。
【００１５】
次に、動作について説明する。
ＡＦＣ２パルス発生回路１３は、ＡＦＣ１パルスカウンタ１１から出力された計数値に基づいてＡＦＣ２パルス信号を生成する動作は、図１に示したＡＦＣ２パルス発生回路５と同様である。ＡＦＣ２パルス信号を変化させる位置、即ち変化させるタイミングはＡＦＣ２パルス調整最大値検出回路１２の検出結果によって制限を受ける。
【００１６】
ＡＦＣパルス調整最大値検出回路１２は、例えば外部から前述のＨ＿ＰＨＡＳＥ信号に相当する信号を入力し、この入力信号に基づいてＡＦＣ１パルス信号に対してＡＦＣ２パルス信号の位相調整量を示す信号を生成する。また、ＡＦＣパルス調整最大値検出回路１２は、画像再生が可能な範囲のＡＦＣ１パルス信号とＡＦＣ２パルス信号との位相差等を予め記憶しており、これらの範囲を示す数値とＡＦＣ１パルスカウンタ１１から出力された計数値とを比較し、ＡＦＣ１パルス信号に対して可能な限り大きな位相差を有するＡＦＣ２パルス信号が生成できるように位相調整の最大値を検出する。
【００１７】
ＡＦＣ２パルス発生回路１３は、ＡＦＣ１パルスカウンタ１１から出力されたＡＦＣ１パルス信号の周期，パルス幅等を示す計数値に基づいてＡＦＣ２パルス信号を生成する。このとき、ＡＦＣ２パルス調整最大値検出回路１２から出力された信号に基づいてＡＦＣ２パルス信号の位相が前述の最大値となるように調整して生成する。出力しているＡＦＣ２パルス信号が論理値“Ｌ”レベルの場合には、前述の位相差をもって強制的に“Ｈ”レベルに変化させる。
【００１８】
ＡＦＣ１パルス信号の生成に用いられる計数値からＡＦＣ２パルス信号を生成するので、実際にＡＦＣ１パルス信号の変化を検出することなく、このＡＦＣ１パルス信号に同期させた、あるいは所望の位相差を有するＡＦＣ２パルス信号を生成することができる。この位相差は、ＡＦＣ１パルス信号と同期する時点を起点とし、ＡＦＣ１パルス信号が変化した後ＡＦＣ２パルス信号を変化させるプラス側の位相差であっても、ＡＦＣ１パルス信号が変化する前にＡＦＣ２パルス信号を変化させるマイナス側の位相差であっても、ＡＦＣ１パルス信号の変化に対応させて確実にＡＦＣ２パルス信号を変化させることができる。
【００１９】
以上のように、実施の形態２によれば、ＡＦＣ１パルス信号の生成に用いる計数値をカウントするＡＦＣ１パルスカウンタ１１と、ＡＦＣ１パルスカウンタの計数値に基づいてＡＦＣ２パルス信号の位相の調整最大値を検出するＡＦＣ２パルス調整最大値検出回路１２と、ＡＦＣ２パルス調整最大値検出回路１２の出力とＡＦＣ１パルスカウンタ１１の計数値に基づいてＡＦＣ２パルス信号を発生するＡＦＣ２パルス発生回路５とを備えたので、ＡＦＣ１パルス信号に対して当該ＡＦＣ１パルス信号が変化する前後において、調整可能な範囲でＡＦＣ２パルス信号を変化させることができ、可能な範囲でどのような位相差でもＡＦＣ１パルス信号の変化に対応させてＡＦＣ２パルス信号を変化させることができるという効果がある。
【００２０】
【発明の効果】
以上のように、この発明によれば、外部信号による位相差の設定変更を検出する設定変更検出手段と、第一パルス信号の発生に用いる計数値を出力するカウンタとを備え、第二パルス発生手段が設定変更検出手段が検出した位相差の設定変更の内容及びカウンタの計数値に基づいて、第一パルス信号に対して所望の位相差を有する第二パルス信号を発生させるようにしたので、第二パルス信号を第一パルス信号より早い位相に設定したとき第一パルス信号に対応させて確実に第二パルス信号を発生させることができるという効果がある。
【００２１】
この発明によれば、第一パルス信号の発生に用いる計数値を出力するカウンタと、カウンタの計数値が予め設定された第二パルス信号の調整範囲の最大値となったことを検出する最大値検出手段とを備え、第二パルス発生手段がカウンタから出力される計数値に基づいて第二パルス信号を発生させると共に最大値検出手段の検出結果に基づいて強制的に第二パルス信号を変化させるようにしたので、第二パルス信号を第一パルス信号より早い位相に設定したとき第一パルス信号に対応させて確実に第二パルス信号を発生させることができるという効果がある。
【図面の簡単な説明】
【図１】この発明の実施の形態１によるパルス発生回路の構成を示すブロック図である。
【図２】実施の形態１によるパルス発生回路の出力を示す説明図である。
【図３】この発明の実施の形態２によるパルス発生回路の構成を示すブロック図である。
【符号の説明】
１  パルス発生位置設定回路、２  フリップフロップ回路、３  不一致検出回路、４  ＡＦＣ１パルスカウンタ、５  ＡＦＣ２パルス発生回路、１１  ＡＦＣ１パルスカウンタ、１２  ＡＦＣ２パルス調整最大値検出回路、１３  ＡＦＣ２パルス発生回路。
【図１】
2004282128.tif 000003
【図２】
2004282128.tif 000004
【図３】
2004282128.tif 000005